(57)【要約】【課題】カードの厚さが略同じで長さが異なるカードを挿着可能なカード用コネクタ装置で、長さの長いカードを挿入する際に手前側に配設した接触部材との摩耗を防止できるカード用コネクタ装置を提供する。【解決手段】スライド部材７に、第１のカード１２と当接してスライド部材７をカードの挿着位置まで移動させる第１当接部７ａと、第２のカード１３と当接してスライド部材７をカードの挿着位置まで移動させる第２当接部７ｂを形成し、第１のカード１２が挿入される際には、押圧部材８が第２のコネクタ端子３を下方へ押圧した後に、第１のカード１２が第１当接部７ａに当接してスライド部材７をカードの挿着位置へ移動させ、第２のカード１３が挿入される際には、押圧部材８は第２のコネクタ端子３を押圧することなく第２のカード１３が第２当接部７ｂに当接してスライド部材７をカードの挿着位置へ移動させるようにした。【選択図】        図７
2004311123.tif 000002
【特許請求の範囲】
【請求項１】
カードが挿着される収納部を有し、互いに厚さが略同じで幅狭長寸の第１のカード及び幅広短寸の第２のカードを挿着可能なハウジングと、前記収納部の奥方側に並設され前記第１のカードと接触する第１のコネクタ端子と、前記収納部の手前側に並設され前記第２のカードと接触する第２のコネクタ端子と、前記第１及び第２のカードの挿入及び排出に伴ってカードの挿入及び排出方向に移動可能なスライド部材と、前記第２のコネクタ端子を下方へ押圧する押圧部材とを備え、前記スライド部材には、前記第１のカードの前端部と当接して前記スライド部材をカードの挿着位置まで移動させる第１当接部と、この第１当接部よりもカード挿入口側に形成され、前記第２のカードの前端部と当接して前記スライド部材をカードの挿着位置まで移動させる第２当接部とを形成し、前記第１のカードが挿入される際には、前記押圧部材が前記第２のコネクタ端子を下方へ押圧した後に、前記第１のカードの前端部が前記第１当接部に当接して前記スライド部材をカードの挿着位置へ移動させ、前記第２のカードが挿入される際には、前記押圧部材は前記第２のコネクタ端子を押圧することなく前記第２のカードの前端部が前記第２当接部に当接して前記スライド部材をカードの挿着位置へ移動させるようにしたことを特徴とするカード用コネクタ装置。
【請求項２】
前記押圧部材は、前記スライド部材に上下方向に移動可能に取付けられると共に、前記第１のカードが挿入される際には、前記第１のカードの前端部で押圧されることにより、下方へ押し下げられて前記スライド部材から離脱可能となるように形成したことを特徴とする請求項１記載のカード用コネクタ装置。
【請求項３】
前記押圧部材は、前記第２のコネクタ端子の有する弾発力によって上方へ付勢されていることを特徴とする請求項２記載のカード用コネクタ装置。
【請求項４】
前記ハウジングには、前記スライド部材をカードの排出方向へ付勢する付勢部材と、前記スライド部材を前記付勢部材の付勢力に抗してカード挿着位置に保持するロック機構を設けたことを特徴とする請求項１乃至３の何れかに記載のカード用コネクタ装置。
【請求項５】
前記ロック機構は、ハート型カム溝と、このハート型カム溝に沿って摺動するロック部材とからなり、カード挿着位置において、前記第１又は第２のカードを一旦挿入方向へ押圧することによりロックを解除させることを特徴とする請求項４記載のカード用コネクタ装置。
【発明の詳細な説明】
【０００１】
【発明の属する技術分野】
本発明は、携帯電話、ＰＣなど各種携帯情報端末、デジタルカメラ、デジタルＡＶ機器などのメモリー対応機器に用いられる小型メモリーカードなどに使用される、カード用コネクタ装置の構造に関する。
【０００２】
【従来の技術】
パーソナルコンピュータやデジタルカメラなどの電子機器の増設記録装置としてカード用コネクタ装置が一般的に使用されている。このカード用コネクタ装置の記憶媒体としてはＰＣカードやメモリーカードが広く使用さるようになってきている。
【０００３】
このＰＣカードやメモリーカードをカード用コネクタ装置に挿着して必要な情報の書き込み、及び読み取りを行うものであるが、近年においては、小型のメモリーカードには、長いもの、短いもの、厚いもの、薄いものなど、形状の異なる色々な種類のメモリーカードが開発されており、これらに対応してカード用コネクタ装置も様々な種類のものが開発されている。
【０００４】
この場合、今までのカード用コネクタ装置としては１種類のメモリーカードにしか対応していないのがほとんどで、一つのカード用コネクタ装置には特定の一つのメモリーカードしか挿着することができなかった。しかしながら、市場においてはサイズやタイプの異なる色々な種類のメモリーカードを使用できるコンバイン用のカード用コネクタ装置の要求が強まってきており、昨今では、このニーズに対応したコンバイン用のカード用コネクタ装置が開発されて来ている（例えば、特許文献１参照）。
【０００５】
このコンバイン用のカード用コネクタ装置の構造としては、共通ベースとなる一つのプレート（ハウジング）に、複数のサイズやタイプの異なるメモリーカードを収納できるスロット（収納部）を各々のサイズに合わせて複数個形成して、この各々のスロット内に、各々のメモリーカードと接触する接触部材（コネクタ端子）を各々のメモリーカードの接点部に対応させた位置にそれぞれ配設してあり、何れかのメモリーカードが挿入された場合に、そのメモリーカードに対応した接触部材とメモリーカードの接点部とが電気的に接続されるようになっている。
【０００６】
【特許文献１】
実用新案登録第３０７９２６３号
【０００７】
【発明が解決しようとする課題】
しかしながら、従来のコンバイン用のカード用コネクタ装置の構成では、長さがそれぞれ異なるメモリーカードを共通のプレート内に挿入する際には、長いタイプのメモリーカードは、スロットの手前側に配設されている他のメモリーカード用の接触部材を押し下げながら奥方側へと挿入されるため、メモリーカードの底面が手前側に配設された接触部材と擦れて摩耗してしまうという問題があった。この場合、互いのメモリーカードの厚さの違いを利用して、手前側に配設された接触部材との摩耗を防止する方法も考えられるが、互いのメモリーカードの厚さが同じで、長さが異なるタイプのメモリーカードについては適用できないという問題があった。
【０００８】
したがって、本発明では上述した問題点を解決し、カードの厚さが略同じで長さが異なるカードを挿着可能なカード用コネクタ装置で、長さの長いカードを挿入する際に手前側に配設した接触部材との摩耗を防止できるカード用コネクタ装置を提供することを目的とする。
【０００９】
【課題を解決するための手段】
上記課題を解決するために本発明では第１の手段として、カードが挿着される収納部を有し、互いに厚さが略同じで幅狭長寸の第１のカード及び幅広短寸の第２のカードを挿着可能なハウジングと、前記収納部の奥方側に並設され前記第１のカードと接触する第１のコネクタ端子と、前記収納部の手前側に並設され前記第２のカードと接触する第２のコネクタ端子と、前記第１及び第２のカードの挿入及び排出に伴ってカードの挿入及び排出方向に移動可能なスライド部材と、前記第２のコネクタ端子を下方へ押圧する押圧部材とを備え、前記スライド部材には、前記第１のカードの前端部と当接して前記スライド部材をカードの挿着位置まで移動させる第１当接部と、この第１当接部よりもカード挿入口側に形成され、前記第２のカードの前端部と当接して前記スライド部材をカードの挿着位置まで移動させる第２当接部とを形成し、前記第１のカードが挿入される際には、前記押圧部材が前記第２のコネクタ端子を下方へ押圧した後に、前記第１のカードの前端部が前記第１当接部に当接して前記スライド部材をカードの挿着位置へ移動させ、前記第２のカードが挿入される際には、前記押圧部材は前記第２のコネクタ端子を押圧することなく前記第２のカードの前端部が前記第２当接部に当接して前記スライド部材をカードの挿着位置へ移動させるようにしたことを特徴とする。
【００１０】
また、第２の手段として、前記押圧部材は、前記スライド部材に上下方向に移動可能に取付けられると共に、前記第１のカードが挿入される際には、前記第１のカードの前端部で押圧されることにより、下方へ押し下げられて前記スライド部材から離脱可能となるように形成したことを特徴とする。
【００１１】
また、第３の手段として、前記押圧部材は、前記第２のコネクタ端子の有する弾発力によって上方へ付勢されていることを特徴とする。
【００１２】
また、第４の手段として、前記ハウジングには、前記スライド部材をカードの排出方向へ付勢する付勢部材と、前記スライド部材を前記付勢部材の付勢力に抗してカード挿着位置に保持するロック機構を設けたことを特徴とする。
【００１３】
また、第５の手段として、前記ロック機構は、ハート型カム溝と、このハート型カム溝に沿って摺動するロック部材とからなり、カード挿着位置において、前記第１又は第２のカードを一旦挿入方向へ押圧することによりロックを解除させることを特徴とする。
【００１４】
【発明の実施の形態】
以下、本発明の実施形態を図１乃至図１６に示す。図１は第１のカードを挿着した状態、図２は第２のカードを挿着した状態のカード用コネクタ装置の平面図、図３はカバーを外した状態のカード用コネクタ装置の平面図、図４は同じく部分側面部、図５は第１のカード挿入途中のカード用コネクタ装置の平面図、図６は同じく部分側面図、図７は同じく第１のカード挿入途中のカード用コネクタ装置の平面図、図８は同じく部分側面図、図９は第１のカード挿着位置のカード用コネクタ装置の平面図、図１０は同じく部分側面図、図１１は第２のカード挿入途中のカード用コネクタ装置の平面図、図１２は同じく部分側面図、図１３は同じく第２のカード挿入途中のカード用コネクタ装置の平面図、図１４は同じく部分側面図、図１５は第２のカード挿着位置のカード用コネクタ装置の平面図、図１６は同じく部分側面図である。
【００１５】
図１乃至図４において、ハウジング１は、合成樹脂などの絶縁材で前方及び上方が開口された方形状の箱形に形成されている。このハウジング１の中央には収納部１ａが設けられており、また、前記ハウジング１には、前記収納部１ａに連続してハウジング１の前面まで延びるカード挿入部１ｂが形成されている。また、前記収納部１ａには、弾性を有する導電性の金属材からなる第１、及び第２のコネクタ端子２、３が複数個並設されている。
【００１６】
前記第１のコネクタ端子２は、前記収納部１ａのカード挿入方向の奥側に配設されており、平板状の基部と、この基部から互いに対向する方向へ延出されて形成された接続片２ａ及び接触片２ｂとから形成されている。前記第１のコネクタ端子２は、一端側に形成された前記接続片２ａが、前記ハウジング１の後方外側面から外方へ表出して配設されており、この接続片２ａが電子機器などの外部の回路基板上の回路パターンと半田付けされて固着されることで信号の伝送が行われるものとなる。
【００１７】
また、前記第１のコネクタ端子２の基部の他端側に延出されて形成された前記接触片２ｂが、前記収納部１ａ内に突出して配設されたものとなっている。また、前記接触片２ｂの先端側には、後述する第１のカード１２の外部接触部（図示せず）に接続される接点部２ｃが形成されている。
【００１８】
前記第２のコネクタ端子３は、前記収納部１ａの前記第１のコネクタ端子２の配設位置よりも手前側に配設されており、平板状の基部と、この基部から互いに対向する方向へ延出されて形成された接続片３ａ及び接触片３ｂとから形成されている。前記第２のコネクタ端子３は、一端側に形成された前記接続片３ａが、前記収納部１ａの底面部に設けられた開口部１ｃから外方へ表出して配設されており、この接続片３ａが電子機器などの外部の回路基板上の回路パターンと半田付けされて固着されることで信号の伝送が行われるものとなる。
【００１９】
また、前記第２のコネクタ端子３の基部の他端側に形成された前記接触片３ｂが、前記収納部１ａの底部に片持ち状に支持されて前記収納部１ａ内に突出して配設されたものとなっている。また、前記接触片３ｂの先端側には、後述する第２のカード１３の外部接触部（図示せず）に接続される接点部３ｃが形成されている。
【００２０】
また、前記ハウジング１の一側部には、後述するスライド部材７をカードの排出方向へ付勢するコイルばねからなる付勢部材４を収容するばね収容部１ｄが形成されている。また、このばね収容部１ｄと対向する一端側には、後述するロック部材９と協働してスライド部材７をカードの挿着位置に保持するハート型カム溝１ｅが形成されている。
【００２１】
また、前記ハウジング１の収納部１ａ前方の前記カード挿入部１ｂには、金属材あるいは合成樹脂材などからなるシャッター部材５が回動可能に配設されている。また、前記ハウジング１のカード挿入部１ｂの１側部には、前記シャッター部材５を閉じる方向へ付勢するねじりコイルばねからなるばね部材６が設けられている。
【００２２】
前記シャッター部材５は、長尺の平板状に形成され、前記ハウジング１のカード挿入部１ｂの開口を塞ぐように取付けられている。そして、後述する幅広の第２のカード１３が挿入される際には、カードの前端部により前記シャッター部材５が前記ばね部材の付勢力に抗して押し広げられて第２のカードが前記収納部１ａ内に挿入されるものとなっている。また、前記シャッター部材５の中央には少し幅狭の挿入口５ａが設けられており、後述する幅狭の第１のカード１２が挿入される際には、この挿入口５ａによって第１のカード１２が位置決め及びガイドされて前記収納部１ａ内に挿入されるものとなっている。
【００２３】
また、前記ハウジング１の収納部１ａを挟んで対向する両側部には、後述する押圧部材８の両側の支軸部８ａが、後述するスライド部材７の支持溝７ｃから下方へ移動した後、保持される保持溝１ｆが形成されている。
【００２４】
スライド部材７は、合成樹脂などの絶縁材から略逆Ｕ字状に形成されており、このスライド部材７には、後方側に位置して後述する第１のカード１２の前端部が当接して収容される梁状に一体に形成された第１当接部７ａと、この第１当接部７ａより前方側に位置して後述する第２のカード１３の両側の前端部が当接して収容される第２当接部７ｂとが形成されている。
【００２５】
また、前記スライド部材７の前記第１当接部７ａの近傍には、下面方向に開口された一対の支持溝７ｃが形成されており、この支持溝７ｃに、同じく合成樹脂などの絶縁材からなる押圧部材８の支軸８ａが上下方向に移動可能に支持されている。この押圧部材８には、前記支軸８ａから前記カード挿入部１ｂ方向へ突出した複数の作動片部８ｂが形成されており、この作動片部８ｂは、前記支軸８ａから前記カード挿入部１ｂ方向に向かって先細形状となるように上面側に傾斜面部８ｃが設けられている。
【００２６】
また、前記押圧部材８の支軸８ａは、前記スライド部材７の梁状に形成された前記第１当接部７ａに沿った状態で並設されており、この支軸８ａが前記ハウジング１の収納部１ａに配設された複数の前記第２コネクタ端子３の接触片３ｂの先端に係合されている。また、前記押圧部材８は、前記接触片３ｂが有する弾発力によって前記支軸８ａが前記スライド部材７の支持溝７ｃの天面側に付勢されたものとなっている。
【００２７】
このように、前記押圧部材８は、前記第２のコネクタ端子３の有する弾発力によって上方へ付勢されるようになっているので、新たに付勢部材を設ける必要が無く、部品点数の削減、ローコスト化が図れるものとなる。
【００２８】
また、前記押圧部材８の傾斜面部８ｃに、後述する第１のカード１２の前端部が当接して下方に押圧されることにより、前記押圧部材８は前記支持溝７ｃに支持された前記支軸８ａが前記第２のコネクタ端子３の接触片３ｂの付勢力に抗して下方に移動されるものとなる。また、前記作動片部８ｂは、前記スライド部材７の前記第２当接部７ｂの形成位置よりも奥側に形成されており、後述する第２のカード１３の前端部とは当接しないように設定されている。
【００２９】
また、前記スライド部材７の側部の一端側には、前記ハウジング１のばね収容部１ｄに収容された、前記付勢部材４の一端部が係止されるばね係止部が設けられており、また前記スライド部材７の一端側には、前記ハウジング１の一端側に形成された前記ハート型カム溝１ｅに摺接される金属の線材からなるロック部材９の一端が回動可能に軸支されると共に、このロック部材９を前記ハート型カム溝１ｅへ付勢する板ばね１０が保持されている。そして、前記ロック部材９と前記ハート型カム溝１ｅとの協働によって前記スライド部材７は、前記付勢部材４の付勢力に抗してカードの挿着位置に保持されるものとなっている。
【００３０】
前記ハウジング１の収納部１ａの上面側には、金属板からなるカバー部材１１が、前記ハウジング１の上面側の開口部を覆うように取り付けられている。また、このカバー部材１１は前記ハウジング１の収納部１ａに配設された前記第１及び第２のコネクタ端子２、３の上面を覆うように形成されており、外部からの輻射ノイズ等の侵入を防止するシールド板の役目も果たすものとなっている。
【００３１】
第１のカード１２は、図１に２点鎖線で示している。この第１のカード１２は、例えば、ＳＤ−ＭＩＮＩカード（セキュアーデジタル−ミニカード）で、内部に集積回路（ＩＣ）が収納されており、記録媒体として使用されるものである。この第１のカード１２の一表面には、その一端側に複数の外部接触部（図示せず）が形成されており、この外部接触部が前記ハウジング１の収納部１ａに配設された前記第１のコネクタ端子２の接触片２ｂと接触することにより、外部に接続された電子機器との種々の情報処理が行われるものとなっている。
【００３２】
前記第１のカード１２が前記スライド部材７の収容部に挿入された時、前記第１のカード１２の前端部が前記スライド部材７の前記第１当接部７ａに当接することによって、前記スライド部材７が前記第１のカード１２の挿入に伴って挿入方向へ移動可能となるように形成されている。
【００３３】
第２のカード１３は、図２に２点鎖線で示している。この第２のカード１３は、例えば、ＲＳ−ＭＭＣカード（レデュースサイズ−マルチメディアカード）で、同じく内部に集積回路（ＩＣ）が収納されており、記録媒体として使用されるものである。この第２のカード１３の一表面には、その一端側に複数の外部接触部（図示せず）が形成されており、この外部接触部が前記ハウジング１の収納部１ａに配設された前記第２のコネクタ端子３の接触片３ｂと接触することにより、外部に接続された電子機器との種々の情報処理が行われるものとなっている。
【００３４】
前記第２のカード１３が前記スライド部材７の収納部に挿入された時、前記第２のカード１３の前端部が前記スライド部材７の前記第２当接部７ｂに当接することによって、前記スライド部材７が前記第２のカード１３の挿入に伴って挿入方向へ移動可能となるように形成されている。
【００３５】
尚、前記第２のカード１３は、前記第１のカード１２に比較して、カードの厚さ寸法については略同一の寸法となっているが、挿入方向の長さ寸法が前記第１のカード１２よりも短く、且つ左右方向の幅寸法が前記第１のカード１２よりも広く形成されたものとなっている。
【００３６】
上記構成のように、長さ寸法の異なる、それぞれの前記第１のカード１２、及び前記第２のカード１３を前記ハウジング１のカード挿入部１ｂに挿入する場合、上記実施例の構成においては、前記第２のカード１３よりも長さ寸法の長い前記第１のカード１２を挿入する際には、前記押圧部材８の傾斜面部８ｃに、前記第１のカード１２の前端部が当接して下方に押圧することにより、前記押圧部材８の支軸８ａが前記第２のコネクタ端子３の接触片３ｂを下方に移動させて前記第１のカード１２の挿入を妨げない位置へ待避させるようにしている。
【００３７】
また、前記傾斜面部８ｃは、前記スライド部材７の前記第２当接部７ｂの形成位置よりも奥側に形成され、前記第２のカード１３の前端部とは当接しないように設定されていることから、それぞれの前記第１のカード１２、及び第２のカード１３の挿入が容易に行えるものとなっている。
【００３８】
また、前記第１のカード１２は前記第２のカード１３よりも挿入方向の長さ寸法が長く長寸状に形成されているが、前記ハウジング１の収納部１ａには、前記第１のカード１２の外部接触部と接触する前記第１のコネクタ端子２と、前記第２のカード１３の外部接触部と接触する前記第２のコネクタ端子３とを、カードの挿入方向にお互いに違えて、それぞれのカードの外部接触部の形成位置に対応させて配設するようにしてあるので、形状の異なる２種類のカードと、これらを挿着するコネクタ装置のコネクタ端子との接触を確実に行うことができるものとなっている。
【００３９】
次に、図５乃至図１６を用いて前記第１のカード１２、及び第２のカード１３をコネクタ装置に挿入する場合の動作を説明する。
前記第１のカード１２を挿入する場合には、まず、図３及び図４に示す初期の状態、すなわち前記第１のカード１２の未挿入時には、前記スライド部材７は前記付勢部材４の付勢力によりカードの排出方向へ付勢されている。
【００４０】
次に、前記第１のカード１２が、前記スライド部材７の収容部に挿入されると、前記第１のカード１２の前端部が、前記押圧部材８の作動片部８ｂの上面側に形成された傾斜面部８ｃ上を摺接し、前記支軸８ａを下方へ押し下げる。この時、前記支軸８ａに係合された前記第２のコネクタ端子３の接触片３ｂも共に下方へ押し下げられるものとなる。（図５、図６）
【００４１】
この状態から更に、前記第１のカード１２が挿入されると、前記第１のカード１２の前端部が、前記スライド部材７の第１当接部７ａに当接されて保持されるものとなる。この時、前記第１のカード１４の底面部が、前記スライド部材７に移動可能に支持された前記押圧部材８の傾斜面部８ｃに当接して下方へ押し下げることにより、前記支軸８ａが前記スライド部材７の支持溝７ｃから外れ、下方に設けられ前記ハウジング１の保持溝１ｆに移動して保持される。この時、前記支軸８ａに係合された前記第２のコネクタ端子３の接触片３ｂも支軸８ａと共に下方へ押し下げられることで前記第１のカード１２の底面と前記第２のコネクタ端子３の接触片３ｂとが離間され擦れるのが回避されるものとなる。
この時、前記第１のカード１２の外部接触部は前記第１のコネクタ端子２の接触片２ｂの接点部２ｃとは離間している。（図７、図８）
【００４２】
このように、前記押圧部材８は、前記スライド部材７に上下方向に移動可能に取付けられると共に、前記第１のカード１２が挿入される際には、前記第１のカード１２の前端部で押圧されることにより、下方へ押し下げられて前記スライド部材７から離脱可能となるように形成されているので、前記押圧部材８を取付けるスペースを前記ハウジング１などに設ける必要が無く、構成を簡単にできると共に、前記ハウジング１やコネクタ装置全体の薄型化が図れるものとなっている。
【００４３】
次に、前記第１のカード１２をカードの挿入方向へ押圧してやると、前記スライド部材７が前記第１のカード１２の挿入に伴って挿入方向へ移動可能となり、前記付勢部材４の付勢力に抗して前記スライド部材７がカードの挿入方向へ移動して、前記ロック部材９の一端部が前記ハート型カム溝１ｅをトレースしてロック位置にロックされ前記第１のカード１２が前記収納部１ａに挿着される。この時、前記第１のカード１２の外部接触部は前記第１のコネクタ端子２の接触片２ｂの接点部２ｃと接触するものとなる。（図９、図１０）
【００４４】
このように、前記スライド部材７に、前記第１のカード１２の前端部と当接して下方へ移動する前記押圧部材８を設けることにより、前記第１のカード１２が挿入される際には、前記押圧部材８の支軸８ａが前記第２のコネクタ端子３の接触片３ｂを下方へ押し下げるようにしてあるので、前記第１のカード１２を挿入する場合においてもカードの底面と前記第２コネクタ端子３の接触片３ｂとが擦れて摩耗することがなく、確実に前記第１のカード１２を挿着することができるものとなっている。
【００４５】
図９及び図１０に示す状態から、前記第１のカード１２を排出するには、更に第１のカード１２を一旦挿入方向に押圧することにより、前記ロック部材９が前記ハートカム溝１ｅのロック位置から外れ、前記付勢部材４の付勢力によって前記スライド部材７がカードの排出方向へ移動して、このスライド部材７と共に前記第１のカード１２が排出位置まで排出されるものとなる。
【００４６】
このように、前記ハウジング１に、前記スライド部材７をカードの排出方向へ付勢する前記付勢部材４と、前記スライド部材７を前記付勢部材４の付勢力に抗してカード挿着位置に保持するロック機構を設けるようにしたので、前記第１のカード１２を排出する際には、前記付勢部材４の付勢力を利用することにより前記第１のカード１２を容易に排出することができる。
【００４７】
また、ロック機構として、前記ハウジング１に設けた前記ハート型カム溝１ｅと、このハート型カム溝１ｅに沿って摺動する前記ロック部材９とを形成し、カード挿着位置において、前記第１のカード１２を一旦挿入方向へ押圧することによりロックを解除させるようにしたことから、前記第１のカード１２をカードの挿着位置へロックしたり、ロックを解除させることが容易に行え、カード挿抜時の操作性を向上することができるものとなる。
【００４８】
次に、前記第２のカード１３を挿入する場合には、図３及び図４に示す初期の状態、すなわち前記第２のカード１３の未挿入時には、前記スライド部材７は前記付勢部材４の付勢力によりカードの排出方向へ付勢されている。
【００４９】
次に、前記第２のカード１３が、前記スライド部材７の収容部に挿入されると、前記第２のカード１３は、前端部が前記第２当接部７ｂに当接されて保持されるものとなる。この時、前記第２当接部７ｂは前記第１当接部７ａより手前側に形成されており、更には前記押圧部材８の作動片部８ｂには当接しない位置に形成されているので、前記押圧部材８は前記スライド部材７の支持溝７ｃに支持された状態で移動されずに保持されるものとなる。
この時、前記第２のカード１３の外部接触部は前記接触片３ｂの接点部３ｃとは離間している。（図１１、図１２）
【００５０】
この状態から更に、前記第２のカード１３が挿入されると、前記スライド部材７がカードの挿入方向へ移動し、前記スライド部材７の支持溝７ｇに保持された前記押圧部材８もスライド部材７と共にカードの挿入方向へと移動する。この時、前記押圧部材８の支軸８ａが、前記第２のコネクタ端子３の接触片３ｂの先端部から外れることになる。（図１３、図１４）
【００５１】
次に、前記第２のカード１３をカードの挿入方向へ押圧してやると、前記スライド部材７が前記第２のカード１３の挿入に伴って挿入方向へ移動可能となり、前記付勢部材４の付勢力に抗して前記スライド部材７がカードの挿入方向へ移動して、前記ロックピン９の一端部が前記ハート型カム溝１ｅをトレースしてロック位置にロックされる。そして、前記第２のカード１３の外部接触部は前記第２のコネクタ端子３の接触片３ｂの接点部３ｃと接触するものとなる。（図１５、図１６）
【００５２】
このように、前記押圧部材８は、前記第２のカード１３が挿入される際には、前記第２のカード１３とは当接しないようになっており、前記第１のカード１２が挿入される際には、前記第１のカード１２と当接するようになっているので、前記第２のカード１３の挿入時には第２のカード１３の外部接触部と前記第２のコネクタ端子３の接点部３ｃとを確実に接触させることができると共に、前記第１のカード１２の挿入時には手前側に配設された前記第２のコネクタ端子３の接点部３ｃとは接触することなしに奥方側に配設された前記第１のコネクタ端子２の接点部２ｃと第１のカード１２の外部接触部とが確実に接触するものとなっている。
【００５３】
図１５及び図１６に示す状態から、前記第２のカード１３を排出するには、同じように、更に第２のカード１３を一旦挿入方向に押圧することにより、前記ロック部材９が前記ハートカム溝１ｅのロック位置から外れ、前記付勢部材４の付勢力によって前記スライド部材７がカードの排出方向へ移動して、このスライド部材７と共に前記第２のカード１３が排出位置まで排出されるものとなる。
【００５４】
上記した実施例によれば、前記スライド部材７に、前記第１のカード１２の前端部と当接して前記スライド部材７をカードの挿着位置まで移動させる前記第１当接部７ａと、この第１当接部７ａよりもカード挿入口側に形成され、前記第２のカード１３の前端部と当接して前記スライド部材７をカードの挿着位置まで移動させる前記第２当接部７ｂとを形成して、前記第１のカード１２が挿入される際には、前記押圧部材８が前記第２のコネクタ端子３を下方へ押圧した後に、前記第１のカード１２の前端部が前記第１当接部７ａに当接して前記スライド部材７をカードの挿着位置へ移動させるようにし、前記第２のカード１３が挿入される際には、前記押圧部材８は前記第２のコネクタ端子３を押圧することなく前記第２のカード１３の前端部が前記第２当接部７ｂに当接して前記スライド部材７をカードの挿着位置へ移動させるようにしているので、互いに厚さが略同じカードの幅の違いを利用することにより、長いカードである前記第１のカード１２を挿入する際には前記収納部１ａの手前側に配設された前記第２のコネクタ端子３を押し下げ、短いカードである前記第２のカード１３を挿入する際には手前側の前記第２のコネクタ端子３は押し下げないようにしたので、厚さが略同じカード同士を挿入する場合においても長いカードである前記第１のカード１２の底面と手前側の前記第２のコネクタ端子３とが擦れることがなく摩耗を防止できるものとなっている。
【００５５】
【発明の効果】
以上説明したように、本発明のカード用コネクタ装置は、カードが挿着される収納部を有し、互いに厚さが略同じで幅狭長寸の第１のカード及び幅広短寸の第２のカードを挿着可能なハウジングと、収納部の奥方側に並設され第１のカードと接触する第１のコネクタ端子と、収納部の手前側に並設され第２のカードと接触する第２のコネクタ端子と、第１及び第２のカードの挿入及び排出に伴ってカードの挿入及び排出方向に移動可能なスライド部材と、第２のコネクタ端子を下方へ押圧する押圧部材とを備え、スライド部材には、第１のカードの前端部と当接してスライド部材をカードの挿着位置まで移動させる第１当接部と、この第１当接部よりもカード挿入口側に形成され、第２のカードの前端部と当接してスライド部材をカードの挿着位置まで移動させる第２当接部とを形成し、第１のカードが挿入される際には、押圧部材が第２のコネクタ端子を下方へ押圧した後に、第１のカードの前端部が第１当接部に当接してスライド部材をカードの挿着位置へ移動させ、第２のカードが挿入される際には、押圧部材は第２のコネクタ端子を押圧することなく第２のカードの前端部が第２当接部に当接してスライド部材をカードの挿着位置へ移動させるようにしたことから、互いに厚さが略同じカードの幅の違いを利用することにより、長いカードを挿入する際には収納部の手前側に配設されたコネクタ端子を押し下げ、短いカードを挿入する際には手前側のコネクタ端子は押し下げないようにしたので、厚さが略同じカード同士を挿入する場合においても長いカードの底面と手前側のコネクタ端子とが擦れることがなく摩耗を防止できる。
【００５６】
また、押圧部材は、スライド部材に上下方向に移動可能に取付けられると共に、第１のカードが挿入される際には、第１のカードの前端部で押圧されることにより、下方へ押し下げられてスライド部材から離脱可能となるように形成したことから、押圧部材を取付けるスペースをハウジングなどに設ける必要が無く、構成を簡単にできると共に、ハウジングやコネクタ装置の薄型化が図れる。
【００５７】
また、押圧部材は、第２のコネクタ端子の有する弾発力によって上方へ付勢されていることから、新たに付勢部材を設ける必要が無く、部品点数の削減、ローコスト化が図れる。
【００５８】
また、ハウジングには、スライド部材をカードの排出方向へ付勢する付勢部材と、スライド部材を付勢部材の付勢力に抗してカード挿着位置に保持するロック機構を設けたことから、カードを排出する際には、付勢部材の付勢力を利用することによりカードを容易に排出することができる。
【００５９】
また、ロック機構は、ハート型カム溝と、このハート型カム溝に沿って摺動するロック部材とからなり、カード挿着位置において、第１又は第２のカードを一旦挿入方向へ押圧することによりロックを解除させることから、カードの挿着位置へのロック及びロック解除が容易に行え、カード挿抜時の操作性を向上できる。
【図面の簡単な説明】
【図１】本発明の実施形態である第１のカードを挿着した状態のカード用コネクタ装置を示す平面図である。
【図２】本発明の同じく第２のカードを挿着した状態のカード用コネクタ装置を示す平面図である。
【図３】本発明のカバーを外した状態のカード用コネクタ装置を示す平面図である。
【図４】本発明の同じくカード用コネクタ装置を示す部分側面部である。
【図５】本発明の第１のカード挿入途中のカード用コネクタ装置を示す平面図である。
【図６】本発明の同じくカード挿入途中のカード用コネクタ装置を示す部分側面図である。
【図７】本発明の同じく第１のカード挿入途中のカード用コネクタ装置を示す平面図である。
【図８】本発明の同じく第１のカード挿入途中のカード用コネクタ装置を示す部分側面図である。
【図９】本発明の第１のカード挿着位置のカード用コネクタ装置を示す平面図である。
【図１０】本発明の同じく第１のカード挿着位置のカード用コネクタ装置を示す部分側面図である。
【図１１】本発明の第２のカード挿入途中のカード用コネクタ装置を示す平面図である。
【図１２】本発明の同じく第２のカード挿入途中のカード用コネクタ装置を示す部分側面図である。
【図１３】本発明の同じく第２のカード挿入途中のカード用コネクタ装置を示す平面図である。
【図１４】本発明の同じく第２のカード挿入途中のカード用コネクタ装置を示す部分側面図である。
【図１５】本発明の第２のカード挿着位置のカード用コネクタ装置を示す平面図である。
【図１６】本発明の同じく第２のカード挿着位置のカード用コネクタ装置を示す部分側面図である。
【符号の説明】
１  ハウジング
１ａ  収納部
１ｂ  カード挿入部
１ｃ  開口部
１ｄ  ばね収容部
１ｅ  ハート型カム溝
１ｆ  保持溝
２  第１のコネクタ端子
２ａ  接続片
２ｂ  接触片
２ｃ  接点部
３  第２のコネクタ端子
３ａ  接続片
３ｂ  接触片
３ｃ  接点部
４  付勢部材
５  シャッター部材
５ａ  挿入口
６  ばね部材
７  スライド部材
７ａ  第１当接部
７ｂ  第２当接部
７ｃ  支持溝
８  押圧部材
８ａ  支軸
８ｂ  作動片部
８ｃ  傾斜面部
９  ロック部材
１０  板ばね
１１  カバー部材
１２  第１のカード
１３  第２のカード
【図１】
2004311123.tif 000003
【図２】
2004311123.tif 000004
【図３】
2004311123.tif 000005
【図４】
2004311123.tif 000006
【図５】
2004311123.tif 000007
【図６】
2004311123.tif 000008
【図７】
2004311123.tif 000009
【図８】
2004311123.tif 000010
【図９】
2004311123.tif 000011
【図１０】
2004311123.tif 000012
【図１１】
2004311123.tif 000013
【図１２】
2004311123.tif 000014
【図１３】
2004311123.tif 000015
【図１４】
2004311123.tif 000016
【図１５】
2004311123.tif 000017
【図１６】
2004311123.tif 000018